(57)【要約】      （修正有）【課題】一般家庭や職場等で日常生活を送りながら、偉人及び偉人に関する情報を自然に覚え教養を養うことのできるカレンダーを提供する。【解決手段】上部に切取線を備えた１枚の表紙及び６枚のカレンダー部と表紙及びカレンダー部の切取線より上部を綴じる綴じ部とからなる。１枚のカレンダー部には、偉人一人と２ヶ月分のカレンダーを掲載する。【選択図】図１
0003176241.tif 000002
【実用新案登録請求の範囲】
【請求項１】
西暦年度、見出し、偉人図又は写真及び前記偉人図又は写真の近傍に当該偉人の読み方を併記した偉人名記載欄並びに読み方を示した当該偉人の偉人伝要約欄を有する１月から１２月までのカレンダーに使用する偉人表示欄を表記した表紙と、
上部には当該偉人の読み方を併記した名記載欄と偉人図又は写真、当該偉人に縁のある写真又は絵図表示欄、偉人の出身地を示した地図、偉人の生存期間記載欄を設け、中央部には代表的な業績を読み方とともに記載した偉人伝要約欄、偉人の生涯、業績、エピソードを読み方とともに記載した偉人伝概説欄を設け、下部には年度欄、月表示欄、曜日欄、日付欄を設けたカレンダー部と、
からなることを特徴とする偉人カレンダー。
【請求項２】
１枚の前記カレンダー部には、前記偉人一人とし、２月分のカレンダーとを記載したことを特徴とする請求項１に記載の偉人カレンダー。
【考案の詳細な説明】
【技術分野】
【０００１】
本考案は、一般家庭や職場等に掛けて、毎日利用されているカレンダーの改良に関する考案である。
【背景技術】
【０００２】
従来のカレンダーは、風景や動植物等の写真又は絵と共に年月日及び曜日に関する情報のみを記載したものが多く、一般家庭や職場等で日常生活を送りながら教養を養うことのできるカレンダーはほとんど存在しなかった。
【０００３】
例えば、特許文献１には、日本古来の短歌、特に百人一首を覚えられるように作られたカレンダーの発明が公開されている。
【先行技術文献】
【特許文献】
【０００４】
【特許文献１】特開平８−１８３２７０号公報
【０００５】
しかしながら、上記発明は、毎日見るカレンダーにより、日本古来の代表的な百人の歌人の歌を覚えるという目的で作られており、社会人として必要な幅広い知識を身につけることや、また、学業に役立つ教養を養うという意味では十分でなかった。
【考案の概要】
【考案が解決しようとする課題】
【０００６】
そこで、本考案は、一般家庭や職場等で日常生活を送りながら、偉人及び偉人に関する情報を自然に覚え教養を養うことのできるカレンダーを提供することを目的とするものである。
【課題を解決するための手段】
【０００７】
本考案は、上記の課題を解決するために、
（１）
西暦年度、見出し、偉人図又は写真及び前記偉人図又は写真の近傍に当該偉人の読み方を併記した偉人名記載欄並びに読み方を示した当該偉人の偉人伝要約欄を有する１月から１２月までのカレンダーに使用する偉人表示欄を表記した表紙と、
上部には当該偉人の読み方を併記した名記載欄と偉人図又は写真、当該偉人に縁のある写真又は絵図表示欄、偉人の出身地を示した地図、偉人の生存期間記載欄を設け、中央部には代表的な業績を読み方とともに記載した偉人伝要約欄、偉人の生涯、業績、エピソードを読み方とともに記載した偉人伝概説欄を設け、下部には年度欄、月表示欄、曜日欄、日付欄を設けたカレンダー部と、
からなることを特徴とする偉人カレンダーの構成とした。
【０００８】
（２）
１枚の前記カレンダー部には、前記偉人一人とし、２月分のカレンダーとを記載したことを特徴とする（１）に記載の偉人カレンダーの構成とした。
【考案の効果】
【０００９】
本考案は、以上の構成であるため、毎日見るカレンダーで、偉人及び偉人に関する情報を自然に覚え、社会人として必要な幅広い知識を身につけるとともに学業に役立つ教養を養うことができる。
【図面の簡単な説明】
【００１０】
【図１】本考案である偉人カレンダーの表紙の正面図である。
【図２】本考案である偉人カレンダーの２枚目（１月２月分のカレンダー部）の正面図である。
【図３】本考案である偉人カレンダーの３枚目（３月４月分のカレンダー部）の正面図である。
【図４】本考案である偉人カレンダーの４枚目（５月６月分のカレンダー部）の正面図である。
【図５】本考案である偉人カレンダーの５枚目（７月８月分のカレンダー部）の正面図である。
【図６】本考案である偉人カレンダーの６枚目（９月１０月分のカレンダー部）の正面図である。
【図７】本考案である偉人カレンダーの７枚目（１１月１２月分のカレンダー部）の正面図である。
【考案を実施するための形態】
【００１１】
以下、添付の図面を参照し、本考案の実施の形態について、詳細に説明する。
【実施例１】
【００１２】
図１は、本考案である偉人カレンダー１の正面図である。偉人カレンダー１は、表紙３が１枚と、偉人情報を掲載し１月から１２月の各月の日付及び曜日等を印刷したカレンダー部６枚（１月２月分が１枚、３月４月分が１枚、５月６月分が１枚、７月８月分が１枚、９月１０月分が１枚、１１月１２月分が１枚）とから構成されている。なお、偉人とは、歴史上、或いは存命中の人も含めた、有名人、著名人、特に、その人の属する学問・技術・思想・政治、その他分野において優れた業績を残した人などである。
【００１３】
そして、表紙３及び各月カレンダー部４（４ａ〜４ｅ）は綴じ部２で綴じられている。この綴じ部２には、本考案である偉人カレンダー１を壁等に掛けるための掛け輪が形成されている。また、綴じ部２のすぐ下には切取線２ａが設けられており、偉人カレンダー１から不要になったカレンダー部を切り離すことができる。
【００１４】
図１に示すように、表紙３の中央部には、西暦年度３ａが、その西暦年度３ａの下に見出し３ｂが表記されている。見出し３ｂには、偉人カレンダー１内に偉人に関する情報が記載されていることを表示する。ここでは、偉人カレンダー１内に掲載された偉人が日本人のみであるので、見出し３ｂに日本の偉人カレンダーと表記している。偉人カレンダー１内に掲載された偉人が日本国以外の偉人も含むのであれば、この見出し３ｂには、世界の偉人カレンダーと表記することもできる。
【００１５】
また、見出し３ｂの左右には、ここでは、偉人表示欄３ｆが合計６つ設けられており、偉人表示欄３ｆには、それぞれ１月から１２月までに使用する偉人図又は写真３ｃ、偉人名を記載する偉人名記載欄３ｄ及び偉人伝の要約を記載する偉人伝要約欄３ｅが縮小されて表示されている。尚、偉人名記載欄３ｄに記載されている偉人名には、読み方を示す仮名が記載されており、漢字を読むことのできない子供でも偉人名を容易に覚えることができる。読み仮名は、平仮名でもよい。
【００１６】
さらに、表紙３の下部には法人名記載欄３ｇが設けられている。法人名記載欄３ｇには、発行元、配布元の法人名、住所、電話、ＦＡＸ等の連絡先を表示する。それにより、業務の販促品として配布することもできる。
【００１７】
図２は、本考案である偉人カレンダー１の２枚目（１月２月分のカレンダー部）の正面図である。図２では、例として野口英世に関する情報を記載した。図２に示すように、各月カレンダー部４の上部左寄りには偉人に縁のある写真又は絵図表示欄５を設け、偉人に縁のある物や場所等の写真又は絵図（猪苗代湖の写真／写真掲載省略）を表示する。
【００１８】
そして、各月カレンダー部４の上部右寄りには偉人名を記載する偉人名記載欄６を設け、偉人名記載欄６と重なるようにして偉人の出身地を示した地図７を表示する。さらに、偉人名記載欄６の下方には偉人表示欄８を設け、そこには偉人図又は写真１７と、偉人の生存期間記載欄９を表示した。偉人の生存期間記載欄９には、偉人の生誕から逝去までの期間を示す。
【００１９】
各月カレンダー部４の中央部には、偉人伝要約欄１０及び偉人伝概説欄１１が設けられている。偉人伝要約欄１０には、偉人の代表的業績などを簡潔に記載する。偉人伝概説欄１１には、偉人の生涯、業績、エピソードなどトピックスを記載する。
【００２０】
尚、偉人名記載欄６に記載の偉人名、偉人伝要約欄１０及び偉人伝概説欄１１にも、読み方を示す仮名が記載されており、漢字を読むことのできない子供でも偉人名及び偉人伝を容易に覚えることができる。読み仮名は、平仮名でもよい。
【００２１】
また、各月カレンダー部４の下部の左寄りには年度欄１２を設け、西暦年度又は／及び元号を表記する。そして、年度欄１２の右隣に月表示欄１３を設け、月表示欄１３の下には曜日欄１４を設け、日付欄１５には曜日欄１４の曜日に対応する日付を表記する。
【００２２】
同様に、各月カレンダー部４の下部の右寄りにも年度欄１２を設け、西暦年度又は／及び元号を表記する。そして、年度欄１２の右隣に次月の月表示欄１３を設け、月表示欄１３の下には曜日欄１４を設け、日付欄１５には曜日欄１４の曜日に対応する日付を表記する。
【００２３】
さらに、各月カレンダー部４の下部には法人名記載欄１６が設けられている。法人名記載欄１６の記載内容は、図１の法人名記載欄３ｇと同様である。
【００２４】
他の各月カレンダー部４ａ〜４ｅにおいても、図２同様の構成で、異なる符号であっても偉人に縁のある写真又は絵図表示欄５ａ〜５ｅ、偉人名記載欄６ａ〜６ｅ、偉人の出身地を示した地図７ａ〜７ｅ、偉人表示欄８ａ〜８ｅ、偉人図又は写真１７ａ〜１７ｅ、偉人の生存期間記載欄９ａ〜９ｅ、偉人伝要約欄１０ａ〜１０ｅ、偉人伝概説欄１１ａ〜１１ｅの記載内容も図２の該当する名称の記載と同様である。以下、詳細に他の各月カレンダー部４ａ〜４ｅについて説明する。
【００２５】
図３は、本考案である偉人カレンダー１の３枚目（３月４月分のカレンダー部）の正面図である。図３では、偉人の例として伊能忠敬を取り上げ、伊能忠敬に関する各種情報を記載した。図３に示すように、各月カレンダー部４ａの上部左寄りには偉人名を記載する偉人名記載欄６ａを設け、偉人名記載欄６ａと重なるようにして偉人の出身地を示した地図７ａを表示する。
【００２６】
そして、偉人名記載欄６ａの下方には偉人表示欄８ａを設けそこには偉人図又は写真１７ａと、偉人の生存期間記載欄９ａを表示した。さらに、各月カレンダー部４ａの上部右寄りには偉人に縁のある写真又は絵図表示欄５ａを設け、偉人に縁のある物や場所等の写真又は絵図（伊能忠敬の測量の様子を示した絵の写真／写真掲載省略）を表示する。
【００２７】
図４は、本考案である偉人カレンダー１の４枚目（５月６月分のカレンダー部）の正面図であり、図５は、本考案である偉人カレンダー１の５枚目（７月８月分のカレンダー部）の正面図であり、図６は、本考案である偉人カレンダー１の６枚目（９月１０月分のカレンダー部）の正面図である。
【００２８】
偉人の例として、図４では華岡青洲、図５では湯川秀樹、図６では南方熊楠を取り上げ、それら偉人に関する各種情報を各月カレンダー部４ｂ〜４ｄに記載した。
【００２９】
図４、図５及び図６は、図２と同様の配置である。即ち、各月カレンダー部４ｂ、４ｃ、４ｄの上部左寄りには偉人に縁のある写真又は絵図表示欄５ｂ、５ｃ、５ｄを設け、偉人に縁のある物や場所等の写真又は絵図を表示する。写真又は絵図表示欄５ｂ、５ｃ、５ｄには、図４ではチョウセンアサガオの写真、図５ではノーベル賞受賞式の写真、図６では和歌山県の山野の写真を載せる。ただし、各図にはそれら写真の掲載は省略した。
【００３０】
そして、各月カレンダー部４ｂ、４ｃ、４ｄの上部右寄りには偉人名を記載する偉人名記載欄６ｂ、６ｃ、６ｄを設け、偉人名記載欄６ｂ、６ｃ、６ｄと重なるようにして偉人の出身地を示した地図７ｂ、７ｃ、７ｄを表示する。さらに、偉人名記載欄６ｂ、６ｃ、６ｄの下方には偉人表示欄８ｂ、８ｃ、８ｄを設け、そこには偉人図又は写真１７ｂ、１７ｃ、１７ｄと、偉人の生存期間記載欄９ｂ、９ｃ、９ｄを表示した。
【００３１】
図７は、本考案である偉人カレンダー１の７枚目（１１月１２月分のカレンダー部）の正面図である。図７では、偉人の例として二宮尊徳を取り上げ、二宮尊徳に関する各種情報を記載した。
【００３２】
図７は、図３と同様の配置である。即ち、各月カレンダー部４ｅの上部左寄りには偉人名を記載する偉人名記載欄６ｅを設け、偉人名記載欄６ｅと重なるようにして偉人の出身地を示した地図７ｅを表示する。
【００３３】
そして、偉人名記載欄６ｅの下方には偉人表示欄８ｅを設け、そこには偉人図又は写真１７ｅと、偉人の生存期間記載欄９ｅを表示した。
【００３４】
さらに、各月カレンダー部４ｅの上部右寄りには偉人に縁のある写真又は絵図表示欄５ｅを設け、偉人に縁のある物や場所等の写真又は絵図（二宮尊徳の生家の写真／写真掲載省略）を表示する。
【符号の説明】
【００３５】
１      偉人カレンダー
２      綴じ部
２ａ    切取線
３      表紙
３ａ    西暦年度
３ｂ    見出し
３ｃ    偉人図又は写真
３ｄ    偉人名記載欄
３ｅ    偉人伝要約欄
３ｆ    偉人表示欄
３ｇ    法人名記載欄
４      各月カレンダー部
４ａ    各月カレンダー部
４ｂ    各月カレンダー部
４ｃ    各月カレンダー部
４ｄ    各月カレンダー部
４ｅ    各月カレンダー部
５      偉人に縁のある写真又は絵図表示欄
５ａ    偉人に縁のある写真又は絵図表示欄
５ｂ    偉人に縁のある写真又は絵図表示欄
５ｃ    偉人に縁のある写真又は絵図表示欄
５ｄ    偉人に縁のある写真又は絵図表示欄
５ｅ    偉人に縁のある写真又は絵図表示欄
６      偉人名記載欄
６ａ    偉人名記載欄
６ｂ    偉人名記載欄
６ｃ    偉人名記載欄
６ｄ    偉人名記載欄
６ｅ    偉人名記載欄
７      偉人の出身地を示した地図
７ａ    偉人の出身地を示した地図
７ｂ    偉人の出身地を示した地図
７ｃ    偉人の出身地を示した地図
７ｄ    偉人の出身地を示した地図
７ｅ    偉人の出身地を示した地図
８      偉人表示欄
８ａ    偉人表示欄
８ｂ    偉人表示欄
８ｃ    偉人表示欄
８ｄ    偉人表示欄
８ｅ    偉人表示欄
９      偉人の生存期間記載欄
９ａ    偉人の生存期間記載欄
９ｂ    偉人の生存期間記載欄
９ｃ    偉人の生存期間記載欄
９ｄ    偉人の生存期間記載欄
９ｅ    偉人の生存期間記載欄
１０    偉人伝要約欄
１０ａ  偉人伝要約欄
１０ｂ  偉人伝要約欄
１０ｃ  偉人伝要約欄
１０ｄ  偉人伝要約欄
１０ｅ  偉人伝要約欄
１１    偉人伝概説欄
１１ａ  偉人伝概説欄
１１ｂ  偉人伝概説欄
１１ｃ  偉人伝概説欄
１１ｄ  偉人伝概説欄
１１ｅ  偉人伝概説欄
１２    年度欄
１３    月表示欄
１４    曜日欄
１５    日付欄
１６    法人名記載欄
１７    偉人図又は写真
１７ａ  偉人図又は写真
１７ｂ  偉人図又は写真
１７ｃ  偉人図又は写真
１７ｄ  偉人図又は写真
１７ｅ  偉人図又は写真
【図１】
0003176241.tif 000003
【図２】
0003176241.tif 000004
【図３】
0003176241.tif 000005
【図４】
0003176241.tif 000006
【図５】
0003176241.tif 000007
【図６】
0003176241.tif 000008
【図７】
0003176241.tif 000009
【手続補正書】
【提出日】平成24年3月30日(2012.3.30)
【手続補正１】
【補正対象書類名】実用新案登録請求の範囲
【補正対象項目名】全文
【補正方法】変更
【補正の内容】
【実用新案登録請求の範囲】
【請求項１】
中央部には西暦年度、前記西暦年度の下には偉人の情報が記載されていることを表示する見出しを表記し、前記見出しの左右には偉人図又は写真を表示し、１月から１２月までのカレンダー部に使用する６つの偉人表示欄を設け、前記６つの偉人表示欄の近傍には当該偉人の読み方を示す仮名を併記した偉人名記載欄及び当該偉人の偉人伝の要約を縮小して表示する偉人伝要約欄を設け、下部には発行元、配布元の法人名、住所、電話、ＦＡＸの連絡先を表示す法人名記載欄を設け、上部には切り離すための切り取り線を備えた１枚の表紙と、
上部左寄りには偉人に縁のある物や場所の写真又は絵図を表示する写真又は絵図表示欄を設け、上部右寄りには偉人名を記載する偉人名記載欄を設け、前記偉人名記載欄と重なるようにして偉人の出身地を示した地図を表示し、前記偉人名記載欄の下方には偉人図又は写真を表示する偉人表示欄と偉人の生誕から逝去までの期間を示す偉人の生存期間記載欄を設け、中央部には代表的な業績を読み方とともに記載した偉人伝要約欄と偉人の生涯、業績、エピソードを読み方とともに記載した偉人伝概説欄を設け、下部の左寄りには、西暦年度又は／及び元号を表記する年度欄を、前記年度欄の右隣には月表示欄を、前記月表示欄の下には曜日欄を設け、前記曜日欄の下には前記曜日欄の曜日に対応する日付を表記する日付欄を設け、曜日欄の曜日に対応する日付を表記し、下部の右寄りにも、西暦年度又は／及び元号を表記する年度欄を、前記年度欄の右隣に月表示欄を、前記月表示欄の下には曜日欄を設け、前記曜日欄の下には前記曜日欄の曜日に対応する日付を表記する日付欄を設け、曜日欄の曜日に対応する日付を表記し、上部には切り離すための切取線を備えた６枚のカレンダー部と、
前記１枚の表紙及び６枚のカレンダー部の切取線より上部を綴じ、カレンダーを掛けるための掛け輪を備える綴じ部と、からなることを特徴とする偉人カレンダー。
【請求項２】
前記１枚のカレンダー部には、偉人一人を掲載し、２か月分のカレンダーを記載したことを特徴とする請求項１に記載の偉人カレンダー１。